(57)【要約】【課題】外装筐体に加わった衝撃等に対する高い強度性能が得られ、ＬＣＤ表示パネルの位置決めも行うことができるＬＣＤ表示パネル保持構造を提供すること。【解決手段】この発明に係るＬＣＤ表示パネル保持構造は、外装筐体５と、この外装筐体５内に設けられ、ＬＣＤ表示パネル３を保持するＬＣＤホルダ４と、このＬＣＤホルダ４に設けられ、外装筐体５に加わる衝撃がＬＣＤ表示パネル３に伝わらないように緩和する弾性部７と、を備えたことを特徴とする。【選択図】        図３
2004251938.tif 000002
【特許請求の範囲】
【請求項１】
外装筐体と、
この外装筐体内に設けられ、ＬＣＤ（Ｌｉｑｕｉｄ  Ｃｒｙｓｔａｌ  Ｄｉｓｐｌａｙ）表示パネルを保持するＬＣＤホルダと、
このＬＣＤホルダに設けられ、前記外装筐体に加わる衝撃が前記ＬＣＤ表示パネルに伝わらないように緩和する弾性部と、
を備えたことを特徴とするＬＣＤ表示パネル保護構造。
【請求項２】
前記弾性部を前記ＬＣＤホルダに一体に形成したことを請求項１記載の特徴とするＬＣＤ表示パネル保護構造。
【請求項３】
前記ＬＣＤホルダを前記弾性部より外側の位置で前記外装筐体に当てることを特徴とする請求項１記載のＬＣＤ表示パネル保護構造。
【請求項４】
前記ＬＣＤホルダを板金又は樹脂で構成したことを特徴とする請求項１記載のＬＣＤ表示パネル保護構造。
【請求項５】
前記保持部をＵ字形に形成したことを特徴とする請求項１記載のＬＣＤ表示パネル保護構造。
【請求項６】
前記弾性部は、前記ＬＣＤホルダの前記外装筐体への取付部と、前記ＬＣＤホルダのＬＣＤ保持部との間に設けられたことを特徴とする請求項１記載のＬＣＤ表示パネル保護構造。
【発明の詳細な説明】
【０００１】
【発明の属する技術分野】
この発明は、携帯機器（特に携帯電話機）のＬＣＤ表示パネル保持構造に関するものである。
【０００２】
【従来の技術】
従来のＬＣＤ表示器取付け構造の構成は、開口部を有する本体ケースに基板を内設し、基板と開口部との間にＬＣＤ表示器を配設するＬＣＤ表示器取付け構造において、本体ケースとＬＣＤ表示器との間及びＬＣＤ表示器と基板との間にクッションをそれぞれ挟入してＬＣＤ表示器を本体ケースと基板とで挟持したことを特徴とするものである。
このように構成したＬＣＤ表示器取付け構造では、本体ケースの上面に衝撃力又は押下力が加えられた場合、ＬＣＤ表示器を上下で挟んだクッションが共働して衝撃を吸収し、ＬＣＤ表示器へ作用する外力が軽減される（例えば、特許文献１参照）。
【０００３】
【特許文献１】
特開平９−２８３９５０号公報
【０００４】
【発明が解決しようとする課題】
しかしながら、近年、携帯電話機は軽量化、薄型化の市場要請により、外装筐体の肉厚及びＬＣＤ表示パネルの薄型化を行うことによって、電話機本体の強度性能が不足し、ＬＣＤ表示パネルの破損が増加している。
また、携帯電話機は、デジタル化によりマルチメディアの端末としての使用が拡大したことから、大量の情報が表示できる様に、ＬＣＤ表示パネルサイズの拡大が迫られており、ＬＣＤ表示パネルのサイズ拡大により、耐衝撃性が低下し、ＬＣＤ表示パネルの破損が増加している。
【０００５】
この発明は上記のような問題点を解決するためになされたもので、外装筐体に加わった衝撃等に対する高い強度性能が得られ、ＬＣＤ表示パネルの位置決めも行うことができるＬＣＤ表示パネル保持構造を提供することを目的とする。
【０００６】
【課題を解決するための手段】
この発明に係るＬＣＤ表示パネル保持構造は、外装筐体と、この外装筐体内に設けられ、ＬＣＤ表示パネルを保持するＬＣＤホルダと、このＬＣＤホルダに設けられ、外装筐体に加わる衝撃がＬＣＤ表示パネルに伝わらないように緩和する弾性部と、を備えたことを特徴とする。
【０００７】
【発明の実施の形態】
実施の形態１．
以下、この発明の実施の形態の一例を図面に基づいて説明する。
図１〜５は実施の形態１を示す図で、図１は携帯電話機の外観斜視図、図２は携帯電話機のＬＣＤ表示部の分解斜視図、図３は携帯電話機のＬＣＤ表示部の断面図、図４は図３のＡ部拡大図、図５は衝撃の伝わり方の説明図である。
【０００８】
図１に示すように、携帯電話機は、ＬＣＤ表示部１とボタン操作部２とで構成される。
【０００９】
図２、３に示すように、ＬＣＤ表示パネル３は、ＬＣＤホルダ４に保持され、かつ、ＬＣＤホルダ４は、ＬＣＤ表示パネル３を収納保持する部分と外装筐体５との保持部との間に、Ｕ字形の弾性部７を備えている。このＬＣＤホルダ４は、板金、または樹脂部材で構成されている。例えば、板金であれば、アルミ、ステンレス等であり、樹脂であれば、ポリカーボネート、ＡＢＳ等である。この弾性部７を備えたＬＣＤホルダ４を外装筐体５のネジ部にネジ６を用いて共締め組付けを行う。
【００１０】
このように構成したＬＣＤ表示パネル保持構造の作用を、図４、５を用いて説明する。携帯電話機外部から、例えば落下等により外装筐体５に衝撃が加わった場合、外装筐体５が変形する。この変形量に伴い、外装筐体５の当て面８を介し、ＬＣＤホルダ４へ衝撃が伝わり、ＬＣＤホルダ４の弾性部７にて、図５に示すように弾性部７が変形する。弾性部７が変形することにより、吸収した衝撃の残りが、ＬＣＤホルダ４内を伝わり、ＬＣＤホルダ４の当て面９を介し、ＬＣＤ表示パネル３へ伝わる。この様に、ＬＣＤホルダ４の弾性部７にて、携帯電話機外部から加わった衝撃を吸収する。
【００１１】
このＬＣＤ表示パネル保持構造によれば、携帯電話機外部からＬＣＤ表示パネル３へ加わる衝撃をＬＣＤホルダ４の弾性部７により充分に吸収することができ、ＬＣＤ表示パネル３の破損を防止することができる。
【００１２】
また、このＬＣＤ表示パネル保持構造によれば、クッションでの衝撃吸収ではなく、ＬＣＤホルダ４が板金または、樹脂部材より形成されており、ＬＣＤホルダ４の弾性部７により衝撃を吸収するため、通常の衝撃が加わらない状態で、ＬＣＤ表示パネル３をＬＣＤホルダ４の弾性部７より外側の位置で外装筐体５と当てることにより、適正な位置に位置決めすることができ、ＬＣＤ表示パネル３の位置ずれを発生させることなく、衝撃を吸収することができる。また、クッションではなく、ＬＣＤホルダ４での衝撃吸収であるため、部品の追加を行うことなく、目的を達成することができる。
【００１３】
また、衝撃が加わった場合にも、ＬＣＤホルダ４の弾性部７は塑性変形することなく、衝撃が開放されると、ＬＣＤ表示パネル３は適正な位置に戻り、位置ずれが発生することはない。
【００１４】
また、ＬＣＤ表示パネル３は耐衝撃増強分に相当して、薄型である０．４ｍｍ以下のガラスパネルの採用も可能であり、携帯電話機の薄型化を行うことができる。
【００１５】
ＬＣＤホルダ４の弾性部７の形状がＵ字形のものを示したが、この形状に限定されるものではなく、他の形状でもよい。例えば、コの字形、蛇腹形でもよい。
【００１６】
上述の実施の形態によれば、携帯電話機外部からＬＣＤ表示パネル３へ加わる衝撃をＬＣＤホルダ４の弾性部７により充分に吸収することができ、ＬＣＤ表示パネル３の破損を防止することができる。
【００１７】
また、通常の衝撃が加わらない状態で、ＬＣＤ表示パネル３をＬＣＤホルダ４の弾性部７より外側の位置で外装筐体５と当てることにより、適正な位置に位置決めすることができ、ＬＣＤ表示パネル３の位置ずれを発生させることなく、衝撃を吸収することができる。
【００１８】
また、ＬＣＤ表示パネル３は耐衝撃増強分に相当して、携帯電話機の薄型化を行うことができる。
【００１９】
また、クッションではなく、ＬＣＤホルダ４での衝撃吸収であるため、部品の追加を行うことなく、目的を達成することができる。
【００２０】
【発明の効果】
この発明に係るＬＣＤ表示パネル保持構造は、外装筐体と、この外装筐体内に設けられ、ＬＣＤ表示パネルを保持するＬＣＤホルダと、このＬＣＤホルダに設けられ、外装筐体に加わる衝撃がＬＣＤ表示パネルに伝わらないように緩和する弾性部と、を備えたことにより、外部からＬＣＤ表示パネルへ加わる衝撃をＬＣＤホルダの弾性部により吸収することができ、ＬＣＤ表示パネルの破損を抑制することができる。
【図面の簡単な説明】
【図１】実施の形態１を示す図で、携帯電話機の外観斜視図である。
【図２】実施の形態１を示す図で、携帯電話機のＬＣＤ表示部の分解斜視図である。
【図３】実施の形態１を示す図で、携帯電話機のＬＣＤ表示部の断面図である。
【図４】実施の形態１を示す図で、図３のＡ部拡大図である。
【図５】実施の形態１を示す図で、衝撃の伝わり方の説明図である。
【符号の説明】
１  ＬＣＤ表示部、２  ボタン操作部、３  ＬＣＤ表示パネル、４  ＬＣＤホルダ、５  外装筐体、６  ネジ、７  弾性部、８，９  当て面。
【図１】
2004251938.tif 000003
【図２】
2004251938.tif 000004
【図３】
2004251938.tif 000005
【図４】
2004251938.tif 000006
【図５】
2004251938.tif 000007